(57)【要約】【課題】径方向の荷重に応じて取付部品に対する角回転が行われる、取付部品との締まりばめによって固定される、内側または外側レースを有する軸受の径方向の荷重または締まりばめなどの軸受パラメータを決定する方法を提供すること。【解決手段】レースおよび取付部品の角速度の測定を比較して、レースと取付部品の間のクリープ速度を決定する。観測したクリープ速度および角速度の測定が、軸受に加えられる締まりばめまたは径方向の荷重のいずれかにカーブフィットを挿入する特定の軸受応用例用の、測定した径方向の荷重データまたは締まりばめデータのいずれかで使用される。【選択図】図１
2004156779.tif 000002
【特許請求の範囲】
【請求項１】
軸受部品を有する軸受の少なくとも１つのパラメータを決定する装置であり、前記軸受部品が、同軸取付部品に締まりばめによって固定され、もって、前記軸受部品および前記同軸取付部品がそれぞれ共通の軸まわりに回転可能であるところの装置であって、
前記軸受部品と作動可能な関係である第１のセンサであって、前記共通の軸まわりの前記軸受部品の回転速度を表す信号を生成するように構成された第１のセンサと、
前記同軸取付部品と動作可能な関係である第２のセンサであって、前記共通の軸まわりの前記同軸取付部品の回転速度を表す信号を生成するように構成された第２のセンサと、
前記第１および第２のセンサからの前記生成した信号を受信し、前記軸受部品と前記軸受取付部品との間のクリープ速度を前記受信した信号から決定するように構成されるプロセッサであって、さらに前記軸受部品の径方向の荷重、前記クリープ速度、前記締まりばめ、および、前記回転速度の間の関係を表すデータにアクセスするように構成されるプロセッサと
を備える装置。
【請求項２】
前記プロセッサがさらに、前記データを使用して、前記軸受部品の前記クリープ速度、前記締まりばめ、および前記回転速度の関数として、前記軸受部品上の前記径方向の荷重を決定するように構成される、請求項１に記載の装置。
【請求項３】
前記軸受部品と動作可能な関係である第３のセンサであって、前記軸受部品上の径方向の荷重を表す信号を生成するように構成された第３のセンサを更に含み、
前記プロセッサがさらに、前記第３のセンサから前記生成した信号を受信し、そして、前記径方向の荷重を前記受信した信号から求めるように構成される、請求項１に記載の装置。
【請求項４】
前記プロセッサがさらに、前記データを使用して、前記軸受部品の前記クリープ速度、前記径方向の荷重、および前記回転速度の関数として、前記軸受部品と前記同軸取付部品との間の前記締まりばめを決定するように構成される、請求項３に記載の装置。
【請求項５】
前記軸受部品が軸受内側リングである、請求項１に記載の装置。
【請求項６】
前記同軸取付部品がシャフトであり、前記軸受内側リングが前記シャフトまわりに同心に取り付けられる、請求項５に記載の装置。
【請求項７】
前記軸受部品が軸受外側リングである、請求項１に記載の装置。
【請求項８】
前記同軸取付部品がハウジングであり、前記軸受外側リングが前記ハウジングまわりに同心で取り付けられる、請求項７に記載の装置。
【請求項９】
前記第１のセンサが、前記軸受部品と、前記軸受部品の表面に固定された少なくとも１つの目標要素とに対して動作可能な関係を有するホール効果センサを含み、前記ホール効果センサが、前記ホール効果センサに近接する前記少なくとも１つの目標要素の検出の際に前記信号を生成するように構成される、請求項１に記載の装置。
【請求項１０】
前記第２のセンサが、前記同軸取付部品と、前記同軸取付部品の表面に固定された少なくとも１つの目標要素とに対して動作可能な関係を有するホール効果センサを含み、前記ホール効果センサが、前記ホール効果センサに近接する前記少なくとも１つの目標要素の検出の際に前記信号を生成するように構成される、請求項１に記載の装置。
【請求項１１】
前記データが、メモリ内に記憶されるデータベースである、請求項１に記載の装置。
【請求項１２】
前記プロセッサが、一組のマイクロコントローラ、マイクロコンピュータ、またはデジタル信号プロセッサのうちの１つを含む、請求項１に記載の装置。
【請求項１３】
軸受部品を有する軸受の少なくとも１つのパラメータを決定する方法であり、前記軸受部品が、同軸取付部品に締まりばめによって固定され、もって、前記軸受部品および前記同軸取付部品がそれぞれ共通の軸まわりに回転可能であるところの方法であって、
前記共通の軸まわりの前記軸受部品の回転速度を表す信号を生成するステップと、
前記共通の軸まわりの前記同軸取付部品の回転速度を表す信号を生成するステップと、
前記第１および第２のセンサからの前記生成した信号をプロセッサで受信するステップと、
前記軸受部品と前記軸受取付部品との間のクリープ速度を前記受信した信号から決定するステップと
を含む方法。
【請求項１４】
前記軸受部品の前記決定したクリープ速度、前記回転速度、および前記締まりばめの関数として、前記軸受部品に作用する径方向の荷重を決定するステップをさらに含む、請求項１３に記載の方法。
【請求項１５】
前記軸受部品上の径方向の荷重を表す信号を生成するステップと、
第３のセンサからの前記生成した信号をプロセッサで受信するステップと、
前記受信した信号からの前記径方向の荷重を計算するステップと
をさらに含む、請求項１３に記載の方法。
【請求項１６】
前記軸受部品の前記決定したクリープ速度、前記回転速度、および前記径方向の荷重の関数として、前記軸受部品と前記同軸取付部品との間の前記締まりばめを決定するステップをさらに含む、請求項１５に記載の方法。
【請求項１７】
前記決定したクリープ速度および前記径方向の荷重を使用して、データテーブル内の１つまたは複数のエントリーを検索するステップを含む、請求項１６に記載の方法。
【発明の詳細な説明】
【技術分野】
【０００１】
本発明は、軸受パラメータの決定に関し、より詳細には、測定した軸受径方向の荷重または締まりばめ、測定した軸受内側リングまたは軸受外側リングのクリープ速度、および測定した軸受回転速度の関係を特定するデータセットに基づいて軸受径方向の荷重または軸受締まりばめを決定する方法および装置に関する。
【背景技術】
【０００２】
玉軸受、円筒形軸受、円すい軸受などの転がり要素軸受に加えられる径方向の力または荷重を測定する装置は、ローラまたはその他の回転被駆動要素によって搬送される材料を所定の張力以下に維持しなければならない場合、様々な種類の織布、紙、および箔を製造し、処理する機械内で広範に使用されている。ロードセル、歪みゲージ、および変位センサなど従来の荷重感知装置の使用を含めて、これらの径方向の力を測定するのに、様々な設計が利用されてきた。
【０００３】
例えば、「軸受力を測定する装置」に対するＬｅｃｈｌｅｒの米国特許第４，２０３，３１９号は、転がり要素軸受に加えられる力を測定するように作用する、少なくとも２つの歪みゲージを備えた、予圧された転がり要素軸受によって外力を測定する装置を開示している。軸受の外側リングと軸受がその中に取り付けられたハウジングとの間の位置に歪みゲージを配置することにより、’３１９号のＬｅｃｈｌｅｒ特許の装置は、ころ軸受に加えられる外力を測定することが可能である。
【０００４】
軸受に作用する径方向の力を測定する装置の別の構造が、Ｇｒｕｎｂａｕｍの米国特許第４，１１２，７５１号およびＫｅｌｌｅｒの米国特許第４，２８１，５３９号に記載されている。これらの特許に開示されている測定装置は基本的に、材料のウェブによって相互連結される２個の同心リングを備えている。転がり要素軸受は、リングの一方に測定される力を伝達し、もう一方のリングは固定位置に保持される。一方のリングが固定したリングに対して移動すると、２個のリングに相互連結された材料のウェブが変形し、その変形はロードセル、歪みゲージ、または変位センサによって電気的に測定される。
【特許文献１】米国特許第４，２０３，３１９号
【特許文献２】米国特許第４，１１２，７５１号
【特許文献３】米国特許第４，２８１，５３９号
【発明の開示】
【発明が解決しようとする課題】
【０００５】
軸受レースのクリープが起こると、ある特定の応用例では、それによって軸受が損傷を受けることがある。回転速度および軸受レースのクリープ速度などの測定値から、締まりばめまたは転がり要素軸受構造に作用する径方向の荷重を決定する低コストで、実用的かつ正確な方法および装置を開発し、それによって軸受および取付部品システムの期待される稼動寿命を決定できることが有利である。
【課題を解決するための手段】
【０００６】
簡単に述べると、本発明の一実施形態では、互いに対して回転する内側レースと外側レースとを有する軸受上の径方向の荷重を決定する装置および方法が提供される。回転するレースは、締まりばめによって取付部品に固定され、取付部品に対する測定可能な速度での回転またはクリープを受ける。対応する取付部品に対する回転するレースの角速度の測定を使用して、回転するレースと取付部品の間のクリープ速度を決定する。決定したクリープ速度を、回転するレースと取付部品の間の締まりばめ精度と相互関係がある所定の径方向の荷重データと比較して、軸受に加えられる実際の径方向の荷重を特定する。
【０００７】
本発明の一代替実施形態においては、測定した角速度および決定したクリープ速度を、軸受の公知の締まりばめと一緒に使用して、軸受部品に加えられる径方向の荷重を表す独自のカーブフィットを生成する。
【０００８】
本発明の他の実施形態においては、互いに対して回転する内側レースおよび外側レースを有する、軸受の締まりばめを決定する装置および方法が提供される。回転するレースは、締まりばめによって取付部品に固定され、取付部品に対する観測可能な比率での回転またはクリープを受ける。対応する取付部品に対する回転するレースの角速度の測定を使用して、回転するレースと取付部品の間のクリープ速度を決定する。決定したクリープ速度を、径方向の荷重と相互関係がある所定の締まりばめデータと比較して、回転するレースと軸受の取付部品の間の実際の締まりばめを確認する。
【０００９】
本発明の他の実施形態においては、取付部品に対して回転する内側レースおよび外側レースを有する、軸受の締まりばめを決定する装置および方法が提供される。回転するレースは、締まりばめによって取付部品に固定され、取付部品に対する測定した径方向の荷重における観測可能な比率での回転またはクリープを受ける。対応する取付部品に対する回転レースの径方向の荷重、クリープ速度、および角速度の測定を使用して、回転するレースと取付部品の間の締まりばめを表す独自のカーブフィットを決定する。
【００１０】
玉軸受、円筒形軸受、円すい軸受、球面軸受などの転がり要素軸受上の径方向の荷重を決定するのに使用されるデータを提供する、本発明の装置は、回転する軸受レースに対して位置決めされた第１のホール効果センサと、回転する軸受レースが所定の軸受嵌合実施の締まりばめによって固定される、対応する取付部品に対して位置決めされた第２のホール効果センサとを含む。軸受レースおよび対応する取付部品は両方とも、それらが運ばれる時、したがってそれぞれの部品の回転中に、ホール効果センサ内で信号を生成させるように位置決めされた１つまたは複数の目標要素を含んでいる。マイクロコントローラまたはデジタル信号プロセッサ（ＤＳＰ）が、その後の処理用のホール効果センサからの信号を受信する。得られた軸受径方向の荷重の決定が、マイクロコントローラまたはＤＳＰによって生成されて、関連する表示ユニット上に表示されるか、もしくは通信バスによって送信される。
【００１１】
軸受レースと対応する取付部品の間の締まりばめを決定するのに使用されるデータを提供する、本発明の装置は、軸受レース上の径方向の荷重を測定するような位置にある１つまたは複数の歪みゲージまたはロードセルを含んでいる。第１のホール効果センサが、回転する軸受レースに対して位置決めされ、第２のホール効果センサが、回転する軸受レースがそれに固定される対応する取付部品に対して位置決めされる。軸受レースと対応する取付部品は両方とも、それらが運ばれる時、したがってそれぞれの部品が回転中に、ホール効果センサ内で信号を生成させるように位置決めされた１つまたは複数の目標要素を含んでいる。マイクロコントローラまたはデジタル信号プロセッサ（ＤＳＰ）が、歪みゲージまたはロードセルからの信号、およびその後の処理用のホール効果センサからの信号を受信する。得られた軸受締まりばめの決定が、マイクロコントローラまたはＤＳＰによって生成されて、関連する表示ユニット上に表示されるか、もしくは通信バスによって送信される。
【００１２】
本発明の前述およびその他の目的、特徴、および利点、ならびにその現在好ましい実施形態は、添付の図面に関連して以下の説明を読むことによりさらに明らかになるであろう。
【発明を実施するための最良の形態】
【００１３】
添付の図面は、明細書の一部をなすものである。
【００１４】
図面のいくつかの図を通して、対応する参照番号は対応する部品を示す。
【００１５】
以下の詳細な説明は、例示することによって本発明を示したものであり、限定するものではない。この説明により明らかに、当業者が本発明を実施、使用することが可能であり、発明を実施する最良の形態であると現在考えられているものを含む、本発明のいくつかの実施形態、適用例、変更形態、代替形態、および使用が説明されている。
【００１６】
以下の説明および実施形態は、円すいころ軸受システムの内容で説明されているものであるが、当業者なら本発明を、玉軸受、円筒形軸受、円すい軸受、球面軸受などを含む、あらゆるタイプの転がり要素軸受を使用できることが分かるであろう。
【００１７】
図１を参照すると、全体に１０で示される、本発明のセンサ装置の第１の構造は、従来の軸受１２に対する位置で示されている。軸受１２は、円すい軸受で使用する場合、一般にカップといわれる、外側リングまたは外側レース１４と、円すい軸受で使用する場合、一般にコーンといわれる、内側リングまたは内側レース１６と、カップ１４およびコーン１６の間に含まれる複数の円すいローラ１８とを備える。軸受１２のコーン１６は、締まりばめによりシャフト軸Ａ−Ａを有するシャフト２０の一端部２６まわりに固定され、軸受１２のカップ１４はハウジング１５内に配置される。
【００１８】
締まりばめは、既知の気密度の大きさであることが好ましい。例えば、気密度のない嵌合を０−フィットを有するといい、５μｍの気密度を有する締まりばめを５−フィットといい、１０μｍの気密度を有する締まりばめを、１０−フィットなどと称する。
【００１９】
本発明の装置は、様々な軸受の応用例での使用に簡単に適合可能である。例えば、図１に示すように、本発明は第１の構造において、シャフト２０に取り付けられた内側レース１６の軸と同軸であるシャフト軸Ａ−Ａまわりに、シャフト２０が回転する、第１の軸受応用例で使用できる。他の方法では、図２に示すように、本発明は、シャフト２０および内側レース１６が固定されており、ハウジング１５および外側レース１４がシャフト軸Ａ−Ａまわりに回転するところの、第２の軸受応用例を有する第２の構造で使用することができる。
【００２０】
第１の軸受応用例においては、図１に示すように、軸受１２上の径方向の荷重をそれから決定することができる信号を提供するため、１対のホール効果センサを使用する。第１のホール効果センサ２２は、シャフト２０の端部２６と動作可能な関係で位置する。少なくとも１つの目標要素２８がホール効果センサ２２の検出範囲内を通過して、それぞれシャフト２０がシャフト軸Ａ−Ａまわりに全回転するような、第１のホール効果センサ２２の配置に対応する径方向の位置で、１つまたは複数の目標要素２８がシャフトの端部２６に固定される。目標要素２８がホール効果センサ２２の検出範囲内を通過する毎に、信号パルスがホール効果センサ２２によって生成し、マイクロコントローラまたはデジタル信号プロセッサ（ＤＳＰ）１００に送信される。
【００２１】
第２のホール効果センサ２４は、内側レース１６と動作可能な関係で位置する。少なくとも１つの目標要素３０がホール効果センサ２４の検出範囲内を通過して、内側レース１６がシャフト軸Ａ−Ａまわりに全回転するような、第２のホール効果センサ２４の配置に対応するシャフト軸Ａ−Ａからの径方向の位置で、１つまたは複数の目標要素３０は内側レース３２に固定される。目標要素３０がホール効果センサ２４の検出範囲内を通過する毎に、信号パルスがホール効果センサ２４によって生成し、マイクロコントローラまたはデジタル信号プロセッサ（ＤＳＰ）１００に送信される。
【００２２】
図２を参照すると、外側レース１４が同軸取付部品１５に対するシャフト軸Ａ−Ａまわりに回転する、第２の軸受応用例で使用するセンサ装置１０の代替構造は、軸受１２に対して位置決めされる１対のホール効果センサを含んでいる。第１のホール効果センサ３４は、外側レース１４の背面３６と動作可能な関係で位置する。少なくとも１つの目標要素３８がホール効果センサ３４の検出範囲内を通過して、それぞれ外側レース１４がシャフト軸Ａ−Ａまわりに全回転するような、第１のホール効果センサ３４の配置に対応する径方向の位置で、１つまたは複数の目標要素３８が背面３６に固定される。目標要素３８がホール効果センサ３４の検出範囲内を通過する毎に、信号パルスがホール効果センサ３４によって生成し、マイクロコントローラまたはデジタル信号プロセッサ（ＤＳＰ）１００に送信される。
【００２３】
第２のホール効果センサ４０は、同軸取付部品１５と動作可能な関係で位置する。少なくとも１つの目標要素４２がホール効果センサ４０の検出範囲内を通過して、それぞれ同軸取付部品１５がシャフト軸Ａ−Ａまわりに全回転するような、第２のホール効果センサ４０の配置に対応するシャフト軸Ａ−Ａからの径方向の位置で、１つまたは複数の目標要素４２がハウジング１５に固定される。目標要素４２がホール効果センサ４０の検出範囲内を通過する毎に、信号パルスがホール効果センサ４０によって生成し、マイクロコントローラまたはデジタル信号プロセッサ（ＤＳＰ）１００に送信される。
【００２４】
図１および２に示す各実施形態において、２２と２４、および３４と４０の対になった第１のホール効果センサからの信号パルスのタイミングを、マイクロコントローラまたはＤＳＰ１００によって対応する対の第２のホール効果センサからの信号パルスのタイミングと比べる。マイクロコントローラまたはＤＳＰ１００は、図３に示すように、第１のホール効果センサからの信号パルスの開始と第２のホール効果センサからの信号パルスの開始との間の経過時間または位相の違いΔｔを決定するように構成される。マイクロコントローラまたはＤＳＰ１００はさらに、２２と２４または３４と４０の対になったホール効果センサからの観測した経過時間または位相の違いΔｔを利用して、軸受１２の観測した部品間のクリープ速度を計算するように構成される。
【００２５】
第１および第２のホール効果センサ２２、２４および３４、４０に加えて、１つまたは複数の歪ゲージまたはロードセルセンサ５０を任意選択で、外側レース１４または内側レース１６のいずれかに対して動作可能な関係で配置することができる。歪ゲージまたはロードセルセンサ５０はそれぞれ、その位置で作用する歪みまたは荷重力を表す、信号を生成する。各歪ゲージまたはロードセルセンサ５０によって生成する信号は、マイクロコントローラまたはデジタル信号プロセッサ（ＤＳＰ）１００に送信される。
【００２６】
マイクロコントローラまたはＤＳＰ１００は、回転速度、クリープ速度、締まりばめ、および径方向の荷重の間の所定の相互関係を与えるデータの１つまたは複数の表を記憶する、内部または外部ランダムアクセスメモリ、または読み出し専用メモリなどの１つまたは複数の従来のデータ記憶部品とつながっている。マイクロコントローラまたはＤＳＰ１００は、（１）径方向の荷重、回転速度、およびクリープ速度の関数として、締まりばめを予測する機能と、（２）締まりばめ、回転速度、およびクリープ速度の関数として、径方向の荷重を予測する機能との、２つのカーブフィット機能を生成するように構成される。
【００２７】
例えば、図４は、一定の１０００ＲＰＭで移動するシャフトを支持するＴＳＮｏ．３０２１０軸受の例示的データテーブルを示す。この軸受は、コーン穴が５０ｍｍ、コーン幅が２０ｍｍ、Ｋ係数が１．３９である。軸受内側レースは、８０１９スチールでできており、回転するシャフトは４３４０スチールでできている。当業者であれば、異なる特徴を有する異なるタイプの軸受に対応する異なるデータテーブルが、本発明の各応用例によって必要であることが分かるであろう。様々なデータテーブルを、メモリ内に記憶させ、各特定の軸受応用例に対する回転速度、クリープ速度、締まりばめ、および径方向の荷重の間の所定の相互関係を特定するのに必要な時にアクセスすることができ、もしくはカーブフィット機能から生成させることができる。
【００２８】
マイクロコントローラまたはＤＳＰ１００はさらに、一実施形態において、軸受１２の測定した部品間で特定されたクリープ速度を、既知の締まりばめとクロスリファレンスして、軸受１２に作用する径方向の荷重ＲＬの対応する値を、対応するデータテーブルから決定するように構成されている。特定したクリープ速度および公知の締まりばめがそれぞれ、データテーブル内のエントリーに対応する場合、これらのエントリーに関連する径方向の荷重ＲＬの既知の値が特定される。
【００２９】
別の方法では、特定したクリープ速度または公知の締まりばめのいずれかが、対応するデータテーブル内のエントリーに対応しないが、データテーブル内の２つのエントリー間にある値に相当する場合、径方向の荷重ＲＬの値は、従来の数学的カーブフィット技術を使用して、公知の締まりばめ、軸受回転速度、および特定したクリープ速度の関数として、マイクロコントローラまたはＤＳＰ１００によって挿入される。いずれの場合でも、径方向の荷重ＲＬの特定したまたは決定した値が、相互連結した表示ユニット１０２上に表示される。
【００３０】
マイクロコントローラまたはＤＳＰ１００はさらに、一実施形態において、軸受１２の測定した部品間で特定されたクリープ速度を、測定した径方向の荷重とクロスリファレンスして、軸受１２と取付部品１５との間の締まりばめの対応する値を、対応するデータテーブルから決定するように構成されている。特定したクリープ速度および測定した径方向の荷重がそれぞれ、データテーブル内のエントリーに対応する場合、これらのエントリーに関連する締まりばめの値が特定される。
【００３１】
他の方法では、特定したクリープ速度または測定した径方向の荷重のいずれかが、対応するデータテーブル内のエントリーに対応しないが、データテーブル内の２つのエントリー間にある値に相当する場合、締まりばめの値は、従来の数学的カーブフィット技術を使用して、測定した径方向の荷重、軸受回転速度、および特定したクリープ速度の関数として、マイクロコントローラまたはＤＳＰ１００によって挿入される。いずれの場合でも、締まりばめの特定したまたは測定した値が、相互連結した表示ユニット１０２上に表示される。
【００３２】
時間を通じて締まりばめを監視することにより、許容軸受稼動寿命の代表例を提供するように、マイクロコントローラまたはＤＳＰ１００は、締まりばめが変化しているかどうか、および検出されたあらゆる変化の率を決定することができる。
【００３３】
当業者であれば、ホール効果センサ２２、２４および３４、４０の代わりに、本発明の実施形態において、様々なセンサを使用できることがすぐに分かるであろう。軸受１２の部品と、締まりばめによって部品が固定される取付部品との間のクリープ速度を示す信号を与えることができるものであれば、如何なるセンサを使用してもよい。
【００３４】
応用例によっては、例えば、光センサを使用して、回転する部品の表面上の目標しるしを観測し、それによって目標しるしが通過する毎に信号を生成させることができる。別の代替のタイプのセンサは、電気ピックアップ、機械回転カウンタ、または光スキャナを含んでいる。
【００３５】
当業者であればさらに、本発明は円すいころ軸受内の締まりばめまたは径方向の荷重を決定する装置および方法に限るものではないことが分かるであろう。さらに、本発明は、軸受内側レースまたは軸受外側レースのいずれかが締まりばめによって取付部品に固定され、軸受に径方向の荷重が加えられる、あらゆるタイプの転がり要素軸受応用例に簡単に適合することができることを前述した。
【００３６】
本発明の締まりばめおよび径方向の荷重を決定する方法は、２部品間の観測可能なクリープ速度が、締まりばめによって固定された部品を通して径方向の荷重の移動により誘導され、部品のパラメータが分かっているあるいは測定可能であり、その間の関係を特定するため、数学的なカーブフィット技術を使用することが可能になるものであれば、如何なる軸受応用例にも適合可能である。
【００３７】
本発明の一部を、これらのプロセスを実施するためのコンピュータ実施方法および装置の形で実現することができる。本発明の一部はまた、フロッピディスク、ＣＤ−ＲＯＭ、ハードドライブ、または別のコンピュータ読取り可能な記憶媒体などの有形媒体内で実施される指示を含む、コンピュータプログラムコードの形で実現することもでき、コンピュータプログラムコードがマイクロコントローラ、デジタル信号プロセッサ、またはコンピュータによってロードされ、実行される場合、マイクロコントローラ、デジタル信号プロセッサ、またはコンピュータが本発明を実施する装置となる。
【００３８】
本発明の一部はまた、例えば、記憶媒体に記憶される、マイクロコントローラ、デジタル信号プロセッサ、もしくはコンピュータによってロードされ、そして／または実行され、または、光ファイバを通して、または電磁放射により電気配線またはケーブルなどのいくつかの伝達媒体上で伝達されるかどうかに関わらず、コンピュータプログラムコードの形で実現することもでき、コンピュータプログラムコードがコンピュータによってロードされ、実行される場合、マイクロコントローラ、デジタル信号プロセッサ、またはコンピュータは本発明を実施する装置となる。
【００３９】
上記を考慮して、本発明のいくつかの目的が達成され、その他の利点のある結果が得られることが分かるであろう。発明の範囲から逸脱することなく、様々な変更を前記構造に加えることができるので、上記説明に含まれ、添付の図面に示された事項は全て、例として解釈され、限定の意味ではないものとする。
【図面の簡単な説明】
【００４０】
【図１】円すい軸受と共に使用され、回転シャフトおよび軸受内側リングまたはコーンに対して位置決めされる、本発明の感知装置の第１の実施形態の側断面図である。
【図２】円すい軸受と共に使用され、回転するハウジングおよび軸受外側リングまたはカップに対して位置決めされる、本発明の感知装置の代替実施形態の側断面図である。
【図３】転がり要素軸受上の径方向の荷重、または軸受レースの一方の締まりばめを決定するためのクリープ速度を示す、信号位相の違いを図示する、図１または２のいずれかで使用される感知装置から受信した信号の代表図である。
【図４】特定の軸受タイプおよび構造のため、転がり要素軸受内側リングおよびシャフトの間のいくつかの異なる締まりばめ用の軸受内側リングのクリープ速度に対する径方向の荷重のデータテーブル内のエントリーを示す、例示チャートである。
【符号の説明】
【００４１】
１０  センサ装置
１２  軸受
１４  外側リングまたは外側レース、カップ
１５  ハウジング、同軸取付部品
１６  内側リングまたは内側レース、コーン
１８  円すいローラ
２０  シャフト
２２、２４、３４、４０  ホール効果センサ
２６  端部
２８、３０、３８、４２  目標要素
３６  背面
５０  歪ゲージまたはロードセルセンサ
１００  マイクロコントローラまたはデジタル信号プロセッサ（ＤＳＰ）
１０２  表示ユニット
【図１】
2004156779.tif 000003
【図２】
2004156779.tif 000004
【図３】
2004156779.tif 000005
【図４】
2004156779.tif 000006
【外国語明細書】
2004156779000001.pdf